(57)【要約】【課題】内装パネルとモニターの画面表示部との一体感を確立して意匠性を高める。【解決手段】車載用モニター装置であって、内装パネル（スモークパネル２２）の内面に電極シート２６が貼付けられ、かつ、この電極シートの内側にモニター３０が組付けられている。そして、内装パネルはモニター３０の画像を表示する範囲が透明に設定されている。【選択図】図２
2013112157.tif 000002
【特許請求の範囲】
【請求項１】
車載用モニター装置であって、
内装パネルの内面に電極シートが貼付けられ、かつ、この電極シートの内側にモニターが組付けられ、内装パネルはモニターの画像を表示する範囲が透明に設定されている車載用モニター装置。
【請求項２】
請求項１に記載された車載用モニター装置であって、
透明素材からなる内装パネルの内面の全範囲に、モニターの画像を表示する範囲が透明で他の範囲が不透明の目隠しシートが貼付けられ、この目隠しシートの内側に電極シートが貼付けられている車載用モニター装置。
【発明の詳細な説明】
【技術分野】
【０００１】
本発明は、自動車のセンタークラスタやインストルメントパネル等の内装パネルに、カーナビゲーション画像やテレビ画像を表示するモニターが設けられた車載用モニター装置に関する。
【背景技術】
【０００２】
近年の内装パネルは、その意匠性を考慮してラウンド形状が採用される傾向にある。例えばセンタークラスタにおいては、表面が車内側へ膨らんだ曲面形状になっている。このような内装パネルにモニター装置を装着する場合、内装パネルに開口を形成し、そこに平板状のモニターを組付けている。
なお、車載用モニター装置に関する一般的な技術は、例えば特許文献１に開示されている。
【先行技術文献】
【特許文献】
【０００３】
【特許文献１】特開２００４−２１０１９３号公報
【発明の概要】
【発明が解決しようとする課題】
【０００４】
これまでの車載用モニター装置では、曲面形状の内装パネルの一部にモニターの平坦な画面が存在することになり、内装パネルとの一体感が損なわれ、意匠性が低下する。
【０００５】
本発明は、このような課題を解決しようとするもので、その目的は、内装パネルとモニターの画面表示部との一体感を確立して意匠性を高めることである。
【課題を解決するための手段】
【０００６】
本発明は、上記の目的を達成するためのもので、以下のように構成されている。
車載用モニター装置であって、内装パネルの内面に電極シートが貼付けられ、かつ、この電極シートの内側にモニターが組付けられている。そして、内装パネルはモニターの画像を表示する範囲が透明に設定されている。
【０００７】
より好ましくは、透明素材からなる内装パネルの内面の全範囲に、モニターの画像を表示する範囲が透明で他の範囲が不透明の目隠しシートが貼付けられ、この目隠しシートの内側に電極シートが貼付けられていることである。
【発明の効果】
【０００８】
本発明においては、内装パネルが曲面形状であっても、モニター用の開口を開けることなく、その内側に平板状のモニターを組付けて内装パネルの表面側に画像を表示できるため、内装パネルとモニターの画面表示部との一体感を確立でき、意匠性を高めることができる。
【０００９】
また、内装パネルの内面に貼付けられる目隠しシートにおいて、モニターの画像が表示される範囲を切り抜くことなく透明にすることで、その内側に電極シートを面一状に貼付けることができる。
【図面の簡単な説明】
【００１０】
【図１】車室内の前方を表した斜視図。
【図２】モニター装置を表した分解斜視図。
【図３】モニター装置を表した正面図。
【図４】図３のＡ−Ａ矢視方向の断面図。
【図５】図３のＢ−Ｂ矢視方向の断面図。
【図６】図５の一部を拡大して表した断面図。
【発明を実施するための形態】
【００１１】
以下、本発明を実施するための形態を、図面を用いて説明する。
図１で示すように、車内におけるフロントシート１０の前方にはインストルメントパネル１２が位置しており、インストルメントパネル１２の車幅方向の中間にセンタークラスタ１４が位置している。そして、このセンタークラスタ１４にはカーナビゲーション画像やその他の各種画像を表示するモニター装置２０が設けられている。
【００１２】
モニター装置２０は、センタークラスタ１４の意匠面を構成するスモークパネル２２（内装パネル）の表面にモニター３０の画像が表示されるようになっている。このスモークパネル２２は透明の樹脂材で成形され、画像表示部２２ａおよび操作表示部２２ｂを備えている。
スモークパネル２２は、センタークラスタ１４の意匠性を高めるためのラウンド形状になっている。つまり、スモークパネル２２の画像表示部２２ａは、車幅方向に関して車内側へ膨出した曲面形状になっている（図２あるいは図３）。また、操作表示部２２ｂは、車幅方向ならびに上下方向に関して共に車内側へ膨出した球曲面形状になっている。
【００１３】
スモークパネル２２の内面には、このスモークパネル２２とほぼ同じ外形をした目隠しシート２４が貼付けられている（図６）。目隠しシート２４は、透明のシートに対してモニター３０の画像を表示する範囲を残して黒色を施したもので、画像を表示するための透明部分２４ａと、その他の不透明部分２４ｂとからなっている（図６）。なお、図２および図３において、スモークパネル２２の画像表示部２２ａに示されている矩形線は、目隠しシート２４の透明部分２４ａと不透明部分２４ｂとの境界線であり、スモークパネル２２の形状を示すものではない。
【００１４】
目隠しシート２４の内側には、二つの電極シート２６，２７が貼付けられる。一方の電極シート２６はマトリックスタイプで、スモークパネル２２の画像表示部２２ａの内側に位置する。この電極シート２６は、画像表示部２２ａに表示される画像のアイコンなどをタッチすることによる静電容量の検出信号を制御基板３４に発信する。他方の電極シート２７は、操作表示部２２ｂの内側に位置し、ここに表記されている印刷記号をタッチすることによる静電容量の検出信号を制御基板３４に発信する。
【００１５】
スモークパネル２２は、その外周に取付けられたスチール製のベゼル２９を介して樹脂製のリテーナ２８にビス止めされる。このリテーナ２８は、モニター３０用の開口部２８ａと、複数個の投光孔２８ｂと、ケーブル孔２８ｃとを備えている。
モニター３０は平板状の液晶パネルであり、モニターカバー３２に組付けられた状態でその表示面をリテーナ２８の開口部２８ａに位置させ、かつ、モニターカバー３２がリテーナ２８にビス止めされる。これにより、曲面形状のスモークパネル２２の内側に平板状のモニター３０が組付けられたことになる（図４、図５）。
【００１６】
制御基板３４はモニターカバー３２の背面にビス止めされ、ＬＥＤ基板３６はリテーナ２８における開口部２８ａの下部背面にビス止めされる。ＬＥＤ基板３６に設けられている各ＬＥＤの光は、リテーナ２８の各投光孔２８ｂを通じてスモークパネル２２の操作表示部２２ｂの表記部を照明する。また、リテーナ２８のケーブル孔２８ｃには、電極シート２６，２７と制御基板３４とを接続するケーブルを挿通させる。
リテーナ２８には、モニター３０（モニターカバー３２を含む）、制御基板３４およびＬＥＤ基板３６を被った状態で樹脂製のケース３８がビス止めされる（図４、図５）。このケース３８が、図１の状態で車体側に組付けられる。
【００１７】
以上のように構成されたモニター装置２０において、スモークパネル２２の画像表示部２２ａは意匠性を考慮した曲面形状であり、その内側に組込まれるモニター３０は平板状であるが、画像表示部２２ａに開口などを開けることなく、この画像表示部２２ａにモニター３０の画像を表示できる。また、スモークパネル２２の内側に電極シート２６が貼付けられており、画像表示部２２ａに表示されるモニター３０のアイコンなどをスモークパネル２２の表面からタッチすることで、各種の切替え操作を行うことができる。そして、内装パネルであるスモークパネル２２は、その画像表示部２２ａを含めて一体感が保たれ、センタークラスタ１４としての意匠性が高められる。
【００１８】
スモークパネル２２の内面に貼付けられる目隠しシート２４は、前述のように画像を表示するための透明部分２４ａと黒色が塗布された不透明部分２４ｂとからなっている。したがって、目隠しシート２４の内側に貼付けられる電極シート２６が該目隠しシート２４と面一状に接合する。これにより、例えば目隠しシート２４において画像が表示される範囲を切り抜いた場合の不具合、つまり目隠しシート２４の切り抜き部に電極シート２６が入り込んで切り抜き部の縁との間に隙間が生じることが解消される。
【００１９】
以上は本発明を実施するための最良の形態を図面に関連して説明したが、この実施の形態は本発明の趣旨から逸脱しない範囲で容易に変更または変形できるものである。
例えばモニター装置２０を構成するセンタークラスタ１４のスモークパネル２２は、インストルメントパネル１２やその他の内装パネルを利用することができる。
【符号の説明】
【００２０】
２０   モニター装置
２２   スモークパネル（内装パネル）
２６   電極シート
３０   モニター
【図１】
2013112157.tif 000003
【図２】
2013112157.tif 000004
【図３】
2013112157.tif 000005
【図４】
2013112157.tif 000006
【図５】
2013112157.tif 000007
【図６】
2013112157.tif 000008